(57)【要約】【課題】壁材、天井材等の化粧板の目透かし施工を目地部材を用いて簡易に行うことができ、現場での化粧板の切断精度が低くても意匠性に優れた目透かし施工ができる、目地部材及び化粧板の施工方法を提供することを目的とする。【解決手段】長尺帯状の基部と、基部の略中央にある目透かし部と、目透かし部を挟んで基部から立ち上がり角が９０度未満で上方向に向かって外側に広がるように傾斜状に突設する一対の立ち上がり片と、立ち上がり片の基部側に基部より垂直に立ち上がると共に立ち上がり片から段差を有して外側に突き出す化粧板当接面が立ち上がり片の先端当接面よりも内側に配置される目地部材の基部を下地材に固定した後、該目地部材を間に挟み双方より化粧板端面を立ち上がり片に当接させると共に化粧板を下地材に固定することで、意匠性に優れた目透かし施工の化粧面が得られる。【選択図】  図４
2011069046.tif 000002
【特許請求の範囲】
【請求項１】
長尺帯状の基部と基部の略中央にある目透かし部と目透かし部を挟んで基部から立ち上がり角が９０度未満で上方向に向かって外側に広がるように傾斜状に突設する一対の立ち上がり片とを有することを特徴とする目地部材。
【請求項２】
請求項１の目地部材において、立ち上がり片の基部側に基部より垂直に立ち上がると共に立ち上がり片から段差を有して外側に突き出す化粧板当接面が立ち上がり片の先端当接部よりも内側に配置されることを特徴とする目地部材。
【請求項３】
少なくとも一対の立ち上がり片と目透かし部に化粧仕上げ層が設けられていることを特徴とする請求項１又は２に記載の目地部材。
【請求項４】
請求項１乃至３に記載の目地部材の基部を下地材に固定した後、該目地部材を間に挟み双方より化粧板端面を立ち上がり片の先端当接部と化粧板当接面に当接させると共に化粧板を下地材に固定することを特徴とする目地部材を用いた化粧板の施工方法。
【発明の詳細な説明】
【技術分野】
【０００１】
本発明は、壁材、天井材等の化粧板の目透かし施工を目地部材を用いて簡易に行うことができる意匠性に優れた化粧板の施工方法に関するものである。
【背景技術】
【０００２】
従来より壁面や天井面に化粧板を施工する際には、一般的に化粧板の木口同士を接触させて隙間無く配置する突き付け工法により施工していたが、湿気や乾燥で化粧板が伸縮して目隙きや反りが発生すると目地部が目立ち、見苦しくなる場合があった。また、地震等の大きな応力によりヒビ等が発生する等の不具合があった。
【０００３】
当該不具合を解消する方法として、化粧板の端部同士に若干の隙間を空けて配置する目透かし施工が行われている。目透かし施工では、目隙きや反りによる目地部の目立ちやヒビ等の発生は防止されるが、化粧板の木口が露出して見苦しいため、予め木口に表面と同様の塗料を塗布したり化粧シートを木口まで巻き込むことで木口を目立ち難くすることができる。しかし、現場で寸法調整するために木口を切断すると木口が露出し意匠性が劣るため、現場加工をしないで済むように工場で寸法調整した多種類の化粧板が必要となりコストアップになると共に精密な割付が必要で施工に時間がかかるという問題が発生する。
【０００４】
さらに、当該問題を解決する方法として、化粧板の目地部に軟質合成樹脂の目地部材を設ける目地構造が開示されている。本特許では図７に示す目地部材５１を図６に示すように下地材５３に固着し、目地部材５１の可撓性のヒレ状体５４に化粧板（サイディング材）５２の端部を当接することにより表面に位置する目地部５５によって化粧板５２の木口を覆うことができる。
【先行技術文献】
【特許文献】
【０００５】
【特許文献１】特開２００３−１３５０９号公報
【発明の概要】
【発明が解決しようとする課題】
【０００６】
しかし、この方法においても化粧材５２と目地部材５１の材質感の違いによって外装材としては問題ないものの、内装材としての意匠性は十分とは言えない。
【０００７】
本発明は、かかる問題点に鑑みなされたものであり、壁材、天井材等の化粧板の目透かし施工を目地部材を用いて簡易に行うことができ、現場での化粧板の切断精度が低くても意匠性に優れた目透かし施工ができる、目地部材及び化粧板の施工方法を提供することを目的とする。
【０００８】
上記目的を解決するために、請求項１に係る目地部材の発明は、長尺帯状の基部と基部の略中央にある目透かし部と目透かし部を挟んで基部から立ち上がり角が９０度未満で上方向に向かって外側に広がるように傾斜状に突設する一対の立ち上がり片とを有することを特徴とする。
【０００９】
請求項２に係る目地部材の発明は、請求項１の目地部材において、立ち上がり片の基部側に基部より垂直に立ち上がると共に立ち上がり片から段差を有して外側に突き出す化粧板当接面が立ち上がり片の先端当接部よりも内側に配置されることを特徴とする。
【００１０】
請求項３に係る目地部材の発明は、請求項１又は２に記載の目地部材において、少なくとも一対の立ち上がり片と目透かし部に化粧仕上げ層が設けられていることを特徴とする。
【００１１】
請求項４に係る目地部材の発明は、請求項１乃至３に記載の目地部材の基部を下地材に固定した後、該目地部材を間に挟み双方より化粧板端面を立ち上がり片の先端当接部と化粧板当接面に当接させると共に化粧板を下地材に固定することを特徴とする。
【発明の効果】
【００１２】
請求項１に係る発明による目地部材は、長尺帯状の基部と基部の略中央にある目透かし部と目透かし部を挟んで基部から立ち上がり角が９０度未満で上方向に向かって外側に広がるように傾斜状に突設する一対の立ち上がり片とを有するので、化粧板を立ち上がり片に当接させた場合、化粧板端面の表面側が立ち上がり片の先端当接部に密着し、現場で精度の低い切断を行っても隙間が開くことがなく、切断された木口面が露出することはない。
【００１３】
請求項２に係る発明では、目地部材の立ち上がり片の基部側に基部より垂直に立ち上がると共に立ち上がり片から段差を有して外側に突き出す化粧板当接面が立ち上がり片の先端当接部よりも内側に配置されるので、化粧板端面と化粧板当接面が面接触して当接され、化粧板端面の表面近傍部分に当接による強い圧縮力がかからないため、目に付く化粧板端面の表面近傍部分の万一の破損を防止できる。
【００１４】
請求項３に係る発明では、少なくとも目地部材の一対の立ち上がり片と目透かし部に化粧仕上げ層が設けられているので、外側に露出する立ち上がり片と目透かし部の意匠性を高めることができ、目地部材を使用しても見映えのよい目地部分を提供することができる。
【００１５】
請求項４に係る発明は、請求項１乃至３に記載の目地部材を用いた化粧板の施工方法であり、目地部材の基部を下地材に固定した後、該目地部材を間に挟み双方より化粧板端面を立ち上がり片の先端当接部と化粧板当接面に当接させると共に化粧板を下地材に固定することで、簡単な施工作業でに意匠性に優れた化粧板の目透かし施工を行うことができる。
【図面の簡単な説明】
【００１６】
【図１】目地部材の一例を示す断面図。
【図２】図１記載の目地部材の一部拡大図。
【図３】化粧仕上げを行った目地部材の一例を示す断面図。
【図４】図１記載の目地部材を用いた目地構造の一例を示す断面図。
【図５】図３記載の目地部材を用いた目地構造の一例を示す断面図。
【図６】従来技術の目地構造の一例を示す断面図。
【図７】従来技術の目地構造に用いる目地部材の一例を示す断面図。
【発明を実施するための形態】
【００１７】
以下、本発明を実施するための実施形態を図１から図５を用いて説明する。もちろん本発明は本実施形態の記載内容に限られるものではない。
【００１８】
本発明に係る目地部材１は、図１に示すように、長尺帯状の基部１１と基部の略中央にある目透かし部１３と目透かし部１３を挟んで基部１１から立ち上がり角αが９０度未満で上方向に向かって外側に広がるように傾斜状に突設する一対の立ち上がり片１２からなり、必要に応じて、立ち上がり片１２の基部側に基部１１より垂直に立ち上がると共に立ち上がり片１２から段差１８を有して突き出す化粧板当接面１４を有する。
【００１９】
目地部材１の材質としては、ＡＢＳ、ポリプロピレン、アクリル、スチロール、硬質塩ビ等の硬質樹脂の押出し製品を用いることで、硬質で強度の大きな部材でありながら若干の柔軟性を有するので、化粧板２の表面側に密着して隙間が生じない。樹脂部材の他にアルミ押出し製品等の金属部材を用いても良い。なお、金属部材の場合は立ち上がり片１２が変形可能な程度に薄肉化することが好ましい。
【００２０】
基部１１は目地部材１を壁や天井の下地に固定するための部分で、この部分での化粧板の浮き上がりを抑えて不陸の発生を防止するため厚さは１ｍｍ以下が好ましい。基部は左右が夫々１０ｍｍ程度の幅を有し、基部１１の略中央部に目透かし部１３が設けられるので、墨出しを行わなくても簡単に一定幅の目透かし施工を行うことができる。目透かし部１３の幅は特に限定しないが、一般的な目透かし施工の目地幅と同等で３ｍｍ前後から１０ｍｍ程度で設定されるのが好ましい。目地部材１の長さは一般的な見切り材と同等で良く最大３ｍ程度である。
【００２１】
目透かし部１３を挟んで一対の立ち上がり片１２が基部１１から突設する。立ち上がり片１２の立ち上がり角αは９０度未満で上方向に向かって外側に広がるように傾斜状に形成され長尺方向に連続するので、立ち上がり片１２の先端当接部１７が化粧板端面２１の表面近傍部分に密着して、現場で切断する際の木口の切断ムラが外部に露出せず（隙間が開かない）見映えの良い外観が得られる。立ち上がり角αは８５度前後が望ましく、基本的に左右一対の立ち上がり片１２の立ち上がり角αは略同一に設けられる。
【００２２】
立ち上がり片１２の先端には面取部１５が設けられ、引っかかりを防止し厚みを見かけ上薄くすることができ目立ち難く見映えを良くすることができる。基部側に立ち上がり片１２から段差１８を有して外側に突き出す化粧板当接面１４を設けることで、化粧板端面２１が裏面近傍部分で化粧板当接面１４と面接触して当接されるので、化粧板当接面１４がない場合のように化粧板端面２１が表面近傍部分で立ち上がり片１２の先端当接部１７のみに線接触で当接することによる強い圧縮力がかからないため、化粧板端面２１の表面近傍部分の万一の破損を防止できる。また、化粧板当接面１４の垂直方向の面は立ち上がり片１２の先端当接部１７よりも内側に配置されるので、立ち上がり片１２の先端当接部１７と化粧板端面２１の表面近傍部分には隙間が生じない。
【００２３】
さらに、目地部材１の各部寸法について図２の拡大図により説明すると、立ち上がり片１２から外側に突き出す段部１８の寸法ａは０．１〜１．０ｍｍ、化粧板当接面１４と先端当接部１７の距離ｂは０．１〜１．０ｍｍが好ましく、基部１１から立ち上がり片１２の先端までの距離ｃは化粧板２の厚みよりも同等か若干大きく設定される。また、立ち上がり片１２の厚さｄは実用強度を保持しながら外観上目立ち難くするため、樹脂の場合は０．３〜１．０ｍｍ程度で好ましくは０．５ｍｍ前後、金属の場合は０．２〜０．５ｍｍ程度で好ましくは０．３ｍｍ前後に設定される。
【００２４】
図３は図１に示す目地部材１に化粧仕上げを行った以外は図１と同様なため、共通部分の説明は省略する。化粧仕上げ層１５は少なくとも目地部材１の一対の立ち上がり片１２と目透かし部１３に設けられる。化粧仕上げ層１５は化粧シート（樹脂、紙、突板）でも塗装でも良く一般的に市販されているもので良く、材質、厚み等は限定しない。目地部材１の化粧仕上げ層１５と化粧板２の化粧仕上げ層２５を同じものとすれば外観上一体感のある化粧面が得られる。また、目地部材１の化粧仕上げ層１５と化粧板２の化粧仕上げ層２５を別の柄や色としアクセントを設けた意匠とすることもできる。
【００２５】
施工手順を以下に示す、（１）下地材３（柱に固定された胴縁や合板、石膏ボード等の板材）に墨打ちして固定位置を決めた後、目地部材１の基部１１を下地材３に両面テープ、接着剤、釘、ビス、ステープル等で固定する。（２）化粧板２を必要に応じて現場で切断しした後、一方側の化粧板２の化粧板端面２１を立ち上がり片１２の先端当接部１７に当接させ立ち上がり片１２を押し込みながら化粧板当接面１４に当接するまで変形させる。他方側の化粧板２についても同様の作業を行う。（３）化粧板２を下地材３に固定する（両面テープ、接着剤、釘、ビス、ステープル、等）。
【００２６】
以上の施工方法により、図４、５に示すように、目地部材１を設けた目透かし部１３によって、一定幅で精度の良い目地を有する目透かし施工が容易に行うことができると共に、目透かし部１３を挟んで基部１１から立ち上がり角αが９０度未満で上方向に向かって外側に広がるように傾斜状に突設する一対の立ち上がり片１２によって、化粧板２の木口が見えない意匠性に優れた、目地を形成することができる。
【産業上の利用可能性】
【００２７】
壁材、天井材等の化粧板の目透かし施工を目地部材を用いて簡易に行うことができる意匠性に優れた化粧板の施工方法を提供できる。
【符号の説明】
【００２８】
１              目地部材
２              化粧板
３              下地材
１１              基部                        
１２              立ち上がり片
１３              目透かし部
１４              化粧板当接面
１５              面取部
１６              化粧仕上げ層（目地部材）
１７              先端当接部
１８              段差
２１              化粧板端面
２５              化粧仕上げ層(化粧板）  
【図１】
2011069046.tif 000003
【図２】
2011069046.tif 000004
【図３】
2011069046.tif 000005
【図４】
2011069046.tif 000006
【図５】
2011069046.tif 000007
【図６】
2011069046.tif 000008
【図７】
2011069046.tif 000009